(57)【要約】  喫煙物品のための容器は、各々が喫煙物品の個別の束を収容するための縄ばしご配列にヒンジ式に接続された少なくとも２つのパック（２、５）を含む。最初の位置において、容器は、対向する第１及び第２の縁部を備えた第１の壁（１１、５１）と第１の壁（１１、５１）にわたって延びる一体型コネクタ（１７、５７）とを有する第１のパック（２）と、対向する第１及び第２の縁部を備えた第１の壁（３１、７１）と第１の壁（３１、７１）にわたって延びる一体型コネクタ（３７、７７）とを有する第２のパック（５）とを含む。第１のパック（２）の一体型コネクタ（１７、５７）は、第１のパック（２）の第１の壁（１１、５１）の第１の縁部の周りにヒンジ止めされた第１の区画（１８、５８）と、第１のパック（２）の第１の壁（１１、５１）の第２の縁部の周りにヒンジ止めされた第２の区画（１９、５９）とを含む。第２のパック（５）の一体型コネクタ（３７、７７）は、第２のパック（５）の第１の壁（３１、７１）の第２の縁部の周りにヒンジ止めされた第１の区画（３８、７８）と、第２のパック（５）の第１の壁（３１、７１）の第１の縁部の周りにヒンジ止めされた第２の区画（３９、７９）とを含む。第１のパック（２）及び第２のパック（５）の第１の壁（１１、５１、３１、７１）の第１の縁部が隣接し、かつ第１のパック（２）及び第２のパック（５）の第１の壁（１１、５１、３１、７１）の第２の縁部が隣接するように、第１のパック（２）の一体型コネクタ（１７、５７）の第１の区画（１８、５８）は、第２のパックの一体型コネクタ（３７、７７）の第１の区画（３８、７８）に固定され、かつ第１のパックの一体型コネクタ（１７、５７）の第２の区画（１９、５９）は、第２のパックの一体型コネクタ（３７、７７）の第２の区画（３８、７８）に固定される。【選択図】図１ａ
2010534169.tif 000002
【特許請求の範囲】
【請求項１】
各々が喫煙物品の個別の束を収容するための少なくとも２つのヒンジ式に接続されたパック（２、５）を含む喫煙物品のための容器であって、
最初の位置において、
対向する第１及び第２の縁部を備えた第１の壁（１１、５１）と、該第１の壁（１１、５１）の該第１の縁部の周りにヒンジ止めされた第１の区画（１８、５８）及び該第１の壁（１１、５１）の該第２の縁部の周りにヒンジ止めされた第２の区画（１９、５９）を含んで該第１の壁（１１、５１）にわたって延びる一体型コネクタ（１７、５７）とを有する第１のパック（２）、及び
対向する第１及び第２の縁部を備えた第１の壁（３１、７１）と、該第１の壁（３１、７１）の該第２の縁部の周りにヒンジ止めされた第１の区画（３８、７８）及び該第１の壁（３１、７１）の該第１の縁部の周りにヒンジ止めされた第２の区画（３９、７９）を含んで該第１の壁（３１、７１）にわたって延びる一体型コネクタ（３７、７７）とを有する第２のパック（５）、
を含み、
前記第１のパック（２）及び第２のパック（５）の前記第１の壁（１１、５１、３１、７１）の前記第１の縁部が隣接し、かつ該第１のパック（２）及び第２のパック（５）の該第１の壁（１１、５１、３１、７１）の前記第２の縁部が隣接するように、該第１のパック（２）の前記一体型コネクタ（１７、５７）の前記第１の区画（１８、５８）は、該第２のパックの前記一体型コネクタ（３７、７７）の前記第１の区画（３８、７８）に固定され、かつ該第１のパックの該一体型コネクタ（１７、５７）の前記第２の区画（１９、５９）は、該第２のパックの該一体型コネクタ（３７、７７）の前記第２の区画（３８、７８）に固定される、
ことを特徴とする容器。
【請求項２】
前記第１のパック（２）の前記一体型コネクタ（１７）の前記第２の区画（１９）は、該第１のパック（２）の該一体型コネクタ（１７）の前記第１の区画（１８）に取外し可能に接続され、前記第２のパック（５）の前記一体型コネクタ（３７）の前記第２の区画（３９）は、該第２のパック（２）の該一体型コネクタ（３７）の前記第１の区画（３８）に取外し可能に接続されることを特徴とする請求項１に記載の容器。
【請求項３】
前記第１のパック（２）の前記一体型コネクタ（１７、５７）は、該第１のパック（２）の前記第１の壁（１１、５１）の前記第１の縁部の周りにヒンジ止めされた第３の区画（１８、５８）を更に含み、
前記第２のパック（５）の前記一体型コネクタ（３７、７７）は、該第２のパックの前記第１の壁（３１、７１）の前記第２の縁部の周りにヒンジ止めされた第３の区画（３８、７８）を更に含み、前記第１のパック（２）の前記一体型コネクタ（１７、５７）の前記第３の区画（１８、５８）は、該第２のパック（５）の該一体型コネクタ（３７、７７）の該第３の区画（３８、７８）に固定されている、
ことを特徴とする請求項１又は請求項２に記載の容器。
【請求項４】
前記第１のパック（２）の前記一体型コネクタ（１７）の前記第３の区画（１８）は、該第１のパック（２）の前記一体型コネクタ（１７）（５７）の前記第２の区画（３８）に取外し可能に接続され、前記第２のパック（５）の前記一体型コネクタ（３７）の前記第３の区画（３８）は、該第２のパック（５）の前記一体型コネクタ（３７）（７７）の前記第２の区画（３９）に取外し可能に接続されることを特徴とする請求項３に記載の容器。
【請求項５】
前記第１のパック（２）及び前記第２のパック（５）は、スライド及びシェルパックであることを特徴とする請求項１から請求項４のいずれか１項に記載の容器。
【請求項６】
前記第１のパック及び前記第２のパックは、ヒンジ蓋パックであることを特徴とする請求項１から請求項５のいずれか１項に記載の容器。
【請求項７】
前記第１のパックは、該第１のパックの前記第１の壁（５１）にわたって延びるヒンジ線の周りにピボット回転可能なヒンジ式蓋を有し、前記第２のパックは、該第２のパックの前記第１の壁（７１）にわたって延びるヒンジ線の周りにピボット回転可能なヒンジ式蓋を有することを特徴とする請求項６に記載の容器。
【請求項８】
前記第１のパックは、該第１のパックの前記第１の壁に平行でそれに対向する該第１のパックの第２の壁にわたって延びるヒンジ線の周りにピボット回転可能なヒンジ式蓋を有し、前記第２のパックは、該第２のパックの前記第１の壁に平行でそれに対向する該第２のパックの第２の壁にわたって延びるヒンジ線の周りにピボット回転可能なヒンジ式蓋を有することを特徴とする請求項６に記載の容器。
【請求項９】
前記第１のパック及び前記第２のパックは、異なる寸法のものであることを特徴とする請求項１から請求項８のいずれか１項に記載の容器。
【発明の詳細な説明】
【技術分野】
【０００１】
本発明は、各々が喫煙物品の個別の束を収容するための少なくとも２つのヒンジ接続式のパックを含む喫煙物品のための容器に関する。
【背景技術】
【０００２】
ＷＯ−Ａ−２００６／０７９７９９は、少なくとも第１及び第２のストラップ及びブランク材によって縄ばしご配列に接続された２つのパックを含むパッケージと、そのようなパッケージを形成する方法とを開示している。
一態様では、ＷＯ−Ａ−２００６／０７９７９９は、各パックが品目を収容することが可能であり、かつ各パックが第１の縁部と第１の縁部に平行な第２の縁部とによって境界付けられた第１の面を有する第１及び第２のパックと、第１及び第２のパックを接続し、かつ第１及び第２のパックに取り付け可能な第１及び第２のストラップを含む手段とを含み、パックの第１の位置で第１及び第２のパックの第１の面が互いに面し、第１及び第２のパックの第１の縁部が互いに隣接し、第１及び第２のパックの第２の縁部が互いに隣接し、第１及び第２のストラップが第１の面にわたって延びて、第１及び第２の縁部の周りにヒンジ止めされ、第１のストラップが、第１のパックの第１の縁部の周りにヒンジ止めされてかつ第２のパックの第２の縁部の周りにヒンジ止めされ、第２のストラップが、第１のパックの第２の縁部の周りにヒンジ止めされてかつ第２のパックの第１の縁部の周りにヒンジ止めされ、それによって第１及び第２のパックが、少なくとも第１の位置と、第１の縁部の周りに第１のパックに対して第２のパックが回転する第２の位置と、第２の縁部の周りに第１のパックに対して第２のパックが回転する第３の位置との間で互いに対して移動可能であるパッケージを説明している。
【０００３】
別の態様では、ＷＯ−Ａ−２００６／０７９７９９は、第１のストラップを提供する少なくとも第１の領域と第２のストラップを提供する第２の領域とを有する単一シートの材料を含む、パッケージの第１及び第２のパックを接続する第１及び第２のストラップを含む手段を形成するためのブランク材を説明し、これらの領域は、第２の領域から第１の領域を分離するように作動可能な線によって接合され、線は、第１、第２、及び第３の区画を有し、第２の区画は、第１及び第２の領域が分離可能であるように脆弱化された区画であり、第１及び第２の区画は、脆弱化された区画のそれぞれの端部からシートの縁部まで延びる切断部分である。
【０００４】
更に別の態様では、ＷＯ−Ａ−２００６／０７９７９９は、離間した主要縁部を有する細長い孔がある第１の細長い区画と、孔に整列して第１の区画の副次縁部から延びる第２の区画とを有する単一シートの材料を含む、パッケージの第１及び第２のパックを接続する第１及び第２のストラップを含む手段を形成するための別のブランク材を説明し、第２の区画は、第２の区画の自由な副次縁部が、孔を通して螺合可能であり、かつ第１の区画の自由な副次縁部に取り付け可能であるように、孔の最小幅と実質的に等しいか又はそれよりも小さい最大幅と、孔の長さよりも大きい長さとを有する。
【０００５】
ＷＯ−Ａ−２００６／０７９７９９の明細書に説明されてその図面に示すパッケージの全ての第１及び第２のパックは、個別の接合ブランク材によって又は個別の縄ばしご構造によって縄ばしご配列に接続される。パッケージを製造するために、個別の接合ブランク材は、第１及び第２のパックに固定されるか、又は第１及び第２のパックが、個別の縄ばしご構造で区画を収容する２つのパック内に位置決めされ、一部のケースではそれに固定される。
【先行技術文献】
【特許文献】
【０００６】
【特許文献１】ＷＯ−Ａ−２００６／０７９７９９
【特許文献２】ＵＳ−Ａ−５、６９２、５２５
【発明の概要】
【発明が解決しようとする課題】
【０００７】
簡単な方法で製造することができる縄ばしご又は類似の配列で接続された２つ又はそれよりも多くのパックを含む容器を提供することが望ましいと考えられる。
【課題を解決するための手段】
【０００８】
本発明により、各々が喫煙物品の個別の束を収容するための少なくとも２つのヒンジ接続式のパックを含む喫煙物品のための容器を提供し、最初の位置において、容器は、対向する第１及び第２の縁部を備えた第１の壁、及び第１の壁の第１の縁部の周りにヒンジ止めされた第１の区画と第１の壁の第２の縁部の周りにヒンジ止めされた第２の区画とを含んで第１の壁にわたって延びる一体型コネクタを有する第１のパックと、対向する第１及び第２の縁部を備えた第１の壁、及び第１の壁の第２の縁部の周りにヒンジ止めされた第１の区画と第１の壁の第１の縁部の周りにヒンジ止めされた第２の区画とを含んで第１の壁にわたって延びる一体型コネクタを有する第２のパックとを含み、第１及び第２のパックの第１の壁の第１の縁部が隣接し、かつ第１及び第２のパックの第１の壁の第２の縁部が隣接するように、第１のパックの一体型コネクタの第１の区画は、第２のパックの一体型コネクタの第１の区画に固定され、第１のパックの一体型コネクタの第２の区画は、第２のパックの一体型コネクタの第２の区画に固定される。
本明細書を通して用語「一体型」は、コネクタと本発明による容器の第１及び第２のパックの各々の第１の壁とが単体の材料、例えば、同じブランク材で形成されることを意味する。
【０００９】
本発明による容器の第１及び第２のパックは、最初の位置と第２の位置との間で、第１のパック及び第２のパックの第１の壁の第１の縁部の周りに互いに対してヒンジ止め可能である。最初の位置では、第１及び第２のパックの第１の壁の第１の縁部が隣接し、第１及び第２のパックの第１の壁の第２の縁部が隣接する。第２の位置では、第１及び第２のパックの第１の壁の第１の縁部が隣接し、第１及び第２のパックの第１の壁の第２の縁部が離間される。本発明による容器の第１のパック及び第２のパックはまた、最初の位置と第３の位置との間で、第１及び第２のパックの第１の壁の第２の縁部の周りに互いに対してヒンジ止め可能である。第３の位置では、第１及び第２のパックの第１の壁の第２の縁部が隣接し、第１及び第２のパックの第１の壁の第１の縁部が離間される。
最初の位置では、第１及び第２のパックの第１の壁が平行かつ対向し、第２及び第３の位置では、第１及び第２のパックの第１の壁が実質的に同一平面にある。
【００１０】
本発明による容器の第１のパック及び第２のパックは、従って、一体型コネクタの固定された第１の区画と固定された第２の区画とによって縄ばしご配列に有利にヒンジ式に接続される。第１及び第２のパックが一体型コネクタによって接続されるので、本発明による容器は、ＷＯ−Ａ−２００６／０７９７９９に記載されたパッケージよりも少ないブランク材又は他の材料部分で有利に形成することができる。それによって本発明による容器の製造と組立が有利に単純化される。
【００１１】
本発明の好ましい実施形態では、第１のパックの一体型コネクタは、第１のパックの第１の壁の第１の縁部の周りにヒンジ止めされた第３の区画を更に含み、第２のパックは、第２のパックの第１の壁の第２の縁部の周りにヒンジ止めされた第３の区画を更に含み、第１のパックの一体型コネクタの第３の区画は、第２のパックの一体型コネクタの第３の区画に固定される。好ましくは、第１のパックの一体型コネクタの第２の区画は、第１のパックの一体型コネクタの第１の区画と第３の区画の間に位置決めされ、第２のパックの一体型コネクタの第２の区画は、第２のパックの一体型コネクタの第１の区画と第３の区画の間に位置決めされる。
【００１２】
好ましくは、本発明による容器の第１のパック及び第２のパックの一体型コネクタの第１、第２、及びもしあれば第３の区画は、最初の位置で互いに対して取外し可能に接続される。より好ましくは、一体型コネクタの区画は、第１の位置で脆弱化された線に沿って互いに対して取外し可能に接続される。最も好ましくは、一体型コネクタの区画は、最初の位置で穿孔の線に沿って互いに対して取外し可能に接続される。
【００１３】
使用中は、最初の位置から第２の位置まで又は最初の位置から第３の位置まで、それぞれ、第１及び第２のパックの第１の壁の第１の縁部又は第２の縁部の周りに互いに対して第１及び第２のパックをヒンジ止めすることは、第１及び第２のパックの一体型コネクタの第２の区画から第１及び第２のパックの一体型コネクタの第１の区画を取り外すことになる。もし存在する場合、最初の位置から第２の位置まで又は最初の位置から第３の位置まで、互いに対して第１及び第２のパックをヒンジ止めすることはまた、第１及び第２のパックの一体型コネクタの第２の区画から第１及び第２のパックの一体型コネクタの第３の区画を取り外すことになる。
【００１４】
必要に応じて、本発明による容器は、３つよりも多くの区画を含む一体型コネクタを有する第１及び第２のパックを含むことができる。例えば、本発明による容器は、第４の区画、第４の区画及び第５の区画、又は第４の区画、第５の区画、及び第６の区画を更に含む一体型コネクタを有する第１及び第２のパックを含むことができる。更に別の区画は、第１及び第２のパックの一体型コネクタの第１の区画又は第２の区画のいずれかと同様に配列することができる。もし存在する場合、本発明による容器の第１及び第２のパックの一体型コネクタの第４及び第６の区画は、好ましくは、その一体型コネクタの各第２の区画と同様に、第１及び第２のパックの第１の壁の同じ縁部の周りにヒンジ止めされる。もし存在する場合、本発明による容器の第１及び第２のパックの一体型コネクタの第５の区画は、その一体型コネクタの各第１及び第３の区画と同様に、第１及び第２のパックの第１の壁の同じ縁部の周りにヒンジ止めされる。
好ましくは、第１のパックの第１の壁の対向する第１及び第２の縁部と第２のパックの第１の壁の対向する第１及び第２の縁部とは、縦方向縁部である。より好ましくは、対向する第１及び第２の縁部は、パックの縦方向垂直縁部である。
【００１５】
本発明による容器の第１及び第２のパックの一方又は両方は、外側シェルと外側シェル内の内側スライドとを含むスライド及びシェルパックとすることができる。代替的に又は追加的に、本発明の第１の態様による容器の第１のパック及び第２のパックの一方又は両方は、下部箱部分と下部箱部分にヒンジ止めされた上部蓋部分とを含むヒンジ蓋パックとすることができる。
第１のパックがスライド及びシェルパックの場合、第１のパックの一体型コネクタは、好ましくは、第１のパックの第１の壁と実質的に同じ寸法である。同様に、第２のパックがスライド及びシェルパックの場合、第２のパックの一体型コネクタは、好ましくは、第２のパックの第１の壁と実質的に同じ寸法である。
第１のパックがヒンジ蓋パックの場合、第１のパックの一体型コネクタは、好ましくは、第１のパックの第１の壁の下部箱部分と実質的に同じ寸法である。同様に、第２のパックがヒンジ蓋パックの場合、第２のパックの一体型コネクタは、好ましくは、第２のパックの第１の壁の下部箱部分と実質的に同じ寸法である。
【００１６】
好ましくは、本発明による容器の第１のパック及び第２のパックは、両方ともスライド及びシェルパック又は両方ともヒンジ蓋パックである。しかし、異なる種類の開閉手段が設けられた第１のパック及び第２のパックを含むことができるのは認められるであろう。例えば、第１のパックは、ヒンジ蓋パックとし、第２のパックは、スライド及びシェルパックとすることができる。
本発明の１つの好ましい実施形態では、第１のパック及び第２のパックは、両方ともスライド及びシェルパックであり、第１のパックの外側シェル及び第１のパックの一体型コネクタは、第１のブランク材で形成され、第２のパックの外側シェル及び第２のパックの一体型コネクタは、第２のブランク材で形成される。
【００１７】
本発明の別の好ましい実施形態では、第１のパック及び第２のパックは、両方ともヒンジ蓋パックであり、第１のパック及び第１のパックの一体型コネクタは、第１のブランク材で形成され、第２のパック及び第２のパックの一体型コネクタは、第２のブランク材で形成される。
本発明による容器の第１のパック及び第２のパックの両方がヒンジ蓋パックの場合、第１のパックは、第１のパックの第１の壁にわたって延びるヒンジ線の周りにピボット回転可能なヒンジ式蓋を有し、第２のパックは、第２のパックの第１の壁にわたって延びるヒンジ線の周りにピボット回転可能なヒンジ式蓋を有することができる。
【００１８】
本発明の代替的な実施形態では、第１のパックは、第１のパックの第１の壁に対して平行かつ対向する第１のパックの第２の壁にわたって延びるヒンジ線の周りにピボット回転可能なヒンジ式蓋を有し、第１のパックは、第２のパックの第１の壁に対して平行かつ対向する第２のパックの第２の壁にわたって延びるヒンジ線の周りにピボット回転可能なヒンジ式蓋を有することができる。
好ましくは、第１のパックの一体型コネクタの第１の区画、第２の区画、及びいずれかそれ以上の区画は、例えば、ホットメルト接着剤、接触式接着剤、又は両面接着テープを用いて、第２のパックの一体型コネクタの第１の区画、第２の区画、及びいずれかそれ以上の区画にそれぞれ接着される。しかし、第１及び第２のパックの一体型コネクタの対応する区画を互いに対して固定するために、例えば、マジックテープ式ファスナ、磁石式ファスナ、又は合わせプラグ（雄）及びソケット（雌）式ファスナのような広範な他公知の手段を利用することができることは認められるであろう。
【００１９】
本発明による容器は、好ましくは、第１及び第２のパックを最初の位置から第２の位置まで及び最初の位置から第３の位置までヒンジ移動させるために消費者によって必然的に正の力が加えられるように、最初の位置から第２の位置への及び最初の位置から第３の位置への第１及び第２のパックの移動に対する抵抗を与える保持手段を更に含む。必要に応じて、本発明による容器は、第１のパック及び第２のパックが最初の位置に向けて動くように働き掛ける正の力を加える保持手段を含むことができる。
【００２０】
例えば、本発明による容器の第１のパック及び第２のパックは、第１のパックに提供された第１の保持手段と第２のパックに提供された第２の保持手段との解放可能な係合によって最初の位置に取外し可能に接続することができる。第１の保持手段及び第２の保持手段は、いずれか適切な公知の磁石式ファスナ、機械式ファスナ、接着式ファスナ、又はその組合せを含むことができる。例えば、第１の保持手段及び第２の保持手段は、１つ又はそれよりも多くの取外し可能な圧力作動マジックテープ式ファスナ、スナップ式ファスナ、又は他の合わせプラグ（雄）及びソケット（雌）式ファスナを含むことができる。
【００２１】
本発明による容器は、従来型の着火端部シガレット又は電気式喫煙システム（例えば、ＵＳ−Ａ−５、６９２、５２５に開示されたシガレット）で使用するための例えばシガレット、シガー、又はシガリロのような喫煙物品の束を各々収容するための２つ又はそれよりも多くのヒンジ接続式のパックを含むことができる。好ましくは、本発明による容器は、各々がシガレットの個別の束を収容するための２つ又はそれよりも多くのヒンジ接続式のパックを含む。
【００２２】
本発明による容器の第１のパック及び第２のパックは、その適切な寸法の選択により、様々な数のシガレットの個別の束を収容するように設計することができる。代替的に又は追加的に、本発明による容器の第１のパック及び第２のパックは、異なる寸法のシガレット（例えば、異なる長さ又は異なる周囲長のシガレット）の個別の束を収容するように設計することができる。本発明による容器の第１のパック及び第２のパックは、例えば、ショートサイズ（長さが約７０ｍｍと約７５ｍｍの間）、普通サイズ（長さが約８０ｍｍ）、キングサイズ（長さが約８４ｍｍ）、スーパーキングサイズ、スリム、スーパースリム、又はワイドシガレットの様々な数の個別の束を収容するように設計することができる。
【００２３】
第１のパック及び第２のパックの寸法の適切な選択により、本発明による容器はまた、総数が様々な喫煙物品を保持するように設計することができる。例えば、本発明によるシガレットのための容器は、組合せにより、全部で２０又は２１の普通サイズシガレットを収容するための第１のパック及び第２のパックを含むことができる。代替的に、本発明によるシガレットのための容器は、組合せにより、全部で１７又は１８のワイドシガレットを収容するための第１のパック及び第２のパックを含むことができる。
【００２４】
本発明による容器の第１のパック及び第２のパックの長さ、幅、及び深さは、最初の位置にある時に、容器の得られる全寸法が喫煙物品の従来型使い捨てパックの寸法と類似か又は実質的に同じになるようにすることができる。例えば、第１のパック及び第２のパックの長さ、幅、及び深さは、最初の位置又は第１の位置において、容器の得られる全寸法が２０シガレットの従来型使い捨てヒンジ蓋パックの寸法と類似になるようにすることができる。
【００２５】
本発明による容器は、異なる種類の喫煙物品の個別の束を収容するための第１のパック及び第２のパックを有利に含むことができる。様々な異なる種類のシガレットが生産されて販売されている。例えば、Ｂｕｒ１ｅｙ、０ｒｉｅｎｔａ１、及びＶｉｒｇｉｎｉａのような独自の特徴的風味及び芳香を有する異なる種類のタバコが単独で又はタバコ配合物に様々な量で使用され、異なる特徴的風味を有するシガレットの銘柄が製造される。更に、長さ（例えば、普通サイズ、キングサイズ、又はスーパーキングサイズ）、周囲長（例えば、スリム又はスーパースリム）、風味の強度、吸引抵抗、及び総粒子物質送出量が異なるシガレットと同様に、プレーンシガレット及び多くの異なる種類のフィルタチップを有するシガレットの両方が製造されている。更に、メントールのような香味料を含有するシガレットも入手可能である。
【００２６】
本発明による容器は、タバコ配合物又は香味が異なるシガレットの個別の束を収容するための第１のパック及び第２のパックを含むことができる。代替的に又は追加的に、本発明による容器は、サイズが異なる（長さが異なる、周囲長が異なる、又は長さ及び周囲長の両方が異なる）シガレットの個別の束を収容するための第１のパック及び第２のパックを含むことができる。
本発明による容器の第１のパック及び第２のパックは、同じか又は異なる断面のものとすることができる。例えば、本発明による容器の第１のパック及び第２のパックの一方又は両方は、矩形、正方形、三角形、五角形、六角形、Ｄ字形、半円形、又は半楕円形の断面とすることができる。
好ましくは、本発明による容器の第１のパック及び第２のパックは、実質的に平行六面体である。より好ましくは、本発明による容器の第１のパック及び第２のパックは、実質的に立方体である。
【００２７】
本発明による容器の第１のパック及び第２のパックは、１つ又はそれよりも多くの直角縦方向縁部、１つ又はそれよりも多くの直角横方向縁部、１つ又はそれよりも多くの丸形縦方向縁部、１つ又はそれよりも多くの丸形横方向縁部、１つ又はそれよりも多くの傾斜付き縦方向縁部、１つ又はそれよりも多くの傾斜付き横方向縁部、又はそれらのいずれか適切な組合せを有することができる。
好ましくは、本発明による容器の第１のパック及び第２のパックは、実質的に形状が同じである。本発明による容器の第１のパック及び第２のパックの寸法は、同じか又は異なるようにすることができる。好ましくは、本発明による容器の第１のパック及び第２のパックは、寸法が異なる。より好ましくは、本発明による容器の第１のパック及び第２のパックは、長さ及び幅が実質的に同じであるが、深さが異なる。
【００２８】
好ましくは、本発明による容器の第１のパックの第１の壁と第２のパックの第１の壁とは、実質的に寸法が同じである。
好ましくは、第１のパックの第１の壁と第２のパックの第１の壁とは、パックの主要壁である。好ましくは、第１のパックの第１の壁は、第１のパックの前部壁又は後部壁である。好ましくは、第２のパックの第１の壁は、第２のパックの前部壁又は後部壁である。
本発明による容器の第１のパック及び第２のパックは、好ましくは、１つ又はそれよりも多くの折り畳まれた積層ブランク材で形成され、より好ましくは、１つ又はそれよりも多くの折り畳まれた積層厚紙ブランク材で形成される。
【００２９】
本発明による容器の第１のパック、第２のパック、及びコネクタの外面は、製造業者名又は銘柄ロゴ、トレードマーク、スローガン、及び他の消費者情報及び印しで印刷、エンボス、デボス、又はその他の方法で装飾（例えば、ラベル又はステッカーを使用して）することができる。同じか又は異なる製造業者名及び銘柄ロゴ、トレードマーク、スローガン、及び他の消費者情報及び印しを第１のパック、第２のパック、及びコネクタの外面に付加することができることは認められるであろう。
【００３０】
本発明による容器のコネクタは、以下に限定されるものではないが、板紙、厚紙、プラスチック、金属（例えば、アルミニウムのような）、透明又は不透明箔（例えば、ポリエチレン（ＰＥ）又はポリエチレンテレフタレート（ＰＥＴ）箔のような）、及び積層材料（例えば、紙／アルミニウム、プラスチック／紙／アルミニウム、又は他の積層体のような）を含む１つ又はそれよりも多くの適切な材料で形成することができる。
【００３１】
本発明による容器は、１つ又はそれよりも多くの窓又は切り欠きが設けられたコネクタを含むことができる。好ましい実施形態では、１つ又はそれよりも多くの窓又は切り欠きは、容器の第１のパック、第２のパック、又は第１及び第２のパックの第１の壁に提供された画像と相互作用又は協働して更に別の画像を発生させる。
本発明を単に一例として添付図面を参照して以下で更に説明する。
【図面の簡単な説明】
【００３２】
【図１ａ】最初の位置と第３の位置の間の位置にある２つのヒンジ接続式のスライド及びシェルパックを含む本発明の第１の実施形態による容器を示す図である。
【図１ｂ】最初の位置と第２の位置の間の位置にある図１ａの容器を示す図である。
【図２ａ】図１ａ及び１ｂに示す容器の第１のスライド及びシェルパックの外側シェルと一体型コネクタとを形成するための第１のブランク材の内面を示す図である。
【図２ｂ】図１ａ及び１ｂに示す容器の第２のスライド及びシェルパックの外側シェルと一体型コネクタとを形成するための第２のブランク材の内面を示す図である。
【図３】図１ａ及び１ｂに示す容器の第１のスライド及びシェルパックの内側シェルと第２のスライド及びシェルパックの内側シェルとを形成するためのブランク材の内面を示す図である。
【図４ａ】２つのヒンジ接続式のヒンジ蓋パックを含む本発明の第２の実施形態による容器の第１のヒンジ蓋パックを形成するための第１のブランク材の内面を示す図である。
【図４ｂ】２つのヒンジ接続式のヒンジ蓋パックを含む本発明の第２の実施形態による容器の第２のヒンジ蓋パックの形成するための第２のブランク材の内面を示す図である。
【発明を実施するための形態】
【００３３】
図２ａ、２ｂ、３、４ａ、及び４ｂは、本発明の実施形態による容器又は容器の各部分を形成するためのブランク材を示している。これらの図の全てにおいて、実線は、ブランク材の切り離し線又は外側境界を指すために使用される。破線は、折り目を付け、ノッチを入れ、型押しをするか、又はそれに対応する方法により、容器又は容器の各部分の組立中に形成された線に沿ってブランク材が曲げられるか又はヒンジとして作用するように、ブランク材の材料を圧縮するか又は部分的に切り離すことによって形成された線を指すために使用される。一点鎖線は、例えば、ブランク材の材料に穿孔することによって形成され、使用中にそこに沿ってブランク材を引き裂くことができる脆弱化された線を指すために使用される。
【００３４】
図１ａ及び１ｂに示す本発明の第１の実施形態による容器は、２つのヒンジ接続式の立方体のスライド及びシェルパックを含む。容器は、外側シェル３と外側シェル３内の内側スライド４とを有する第１のパック２と、外側シェル６と外側シェル６内の内側スライド７とを有する第２のパック５とを含み、それらは、縄ばしご配列に接続されている。
第１のパック２の外側シェル３を形成するための細長いブランク材１０は、図２ａに示している。ブランク材１０は、後部壁パネル１１、左側壁パネル１２、前部壁パネル１３、及び右側壁パネル１４を含み、それらは、垂直折り重ね線（図２ａに破線で示した）によってブランク材１０の縦方向に互いに分離されている。１対の後部壁フラップ１５は、水平折り重ね線に沿って後部壁１１の上縁及び下縁に接続され、右側壁フラップ１６は、垂直折り重ね線に沿って後部壁パネル１１の側面に接続される。図２ａに示すように、ブランク材１０はまた、垂直折り重ね線に沿って右側壁パネル１４に接続された第１及び第３の区画１８と、穿孔（図２ａに一点鎖線で示した）の水平線に沿って第１及び第３の区画１８に取外し可能に接続され、第１及び第３の区画１８の間に位置決めされた第２の区画１９とを含む一体型コネクタパネル１７を含む。左側壁フラップ２０は、垂直折り重ね線に沿って一体型コネクタパネル１７の第２の区画１９に接続される。
【００３５】
第２のパック５の外側シェル６を形成するための細長いブランク材３０は、図２ｂに示している。第２のパック５の外側シェル６を形成するためのブランク材３０は、第１のパック２の外側シェル３を形成するためのブランク材１０と殆ど類似の構成であり、後部壁パネル３１、右側壁パネル３４、前部壁パネル３３、及び左側壁パネル３２を含み、それらは、垂直折り重ね線によってブランク材３０の縦方向に互いに分離される。１対の後部壁フラップ３５は、水平折り重ね線に沿って後部壁パネル３１の上縁及び下縁に接続され、左側壁フラップ４０は、垂直折り重ね線に沿って後部壁パネル３１の側面に接続される。第１のパック２の外側シェル３を形成するためのブランク材１０と同様に、第２のパック５の外側シェル６を形成するためのブランク材３０はまた、第１及び第３の区画３８と、穿孔の水平線に沿って第１及び第３の区画３８に取外し可能に接続され、第１及び第３の区画３８の間に位置決めされた第２の区画３９とを含む一体型コネクタパネル３７を含む。しかし、図２ｂに示すように、第２のパック５の外側シェル６を形成するためのブランク材３０では、一体型コネクタパネル３７の第２の区画３９は、垂直折り重ね線に沿って左側壁パネル３２に接続され、一体型コネクタパネル３７の第１及び第３の区画３８は、垂直折り重ね線に沿って右側壁フラップ３６に接続される。
【００３６】
図２ａに示すブランク材１０で容器の第１のパック２の外側シェル３を組み立てるために、後部壁フラップ１５が水平折り重ね線に関して１８０度まで内側に折り畳まれる。右側壁フラップ１６、後部壁パネル１１、左側壁パネル１２、前部壁パネル１３、右側壁パネル１４、一体型コネクタパネル１７、及び左側壁フラップ２０は、垂直折り重ね線に関して９０度まで折り畳まれ、右側壁フラップ１６の外面が右側壁パネル１４の内面に固定される。左側壁フラップ２０の内面は、組み立てられた外側シェル３において一体型コネクタ１７の第１の区画１８、第２の区画１９、及び第３の区画１８が後部壁パネル１１の上に重なりかつそこにわたって延びるように左側壁パネル１２の外面に固定される。
【００３７】
図２ｂに示すブランク材３０で第２のパック５の外側シェル３を組み立てるために、後部壁フラップ３５は、水平折り重ね線に関して内側に１８０度まで折り畳まれる。左側壁フラップ４０、後部壁パネル３１、右側壁パネル３４、前部壁パネル３３、左側壁パネル３２、一体型コネクタパネル３７、及び右側壁フラップ３６は、垂直折り重ね線に関して９０度まで折り畳まれ、左側壁フラップ４０の外面が左側壁パネル３２の内面に接着する。右側壁フラップ３６の内面は、組み立てられた外側シェル６において一体型コネクタパネル３７の第１の区画３８、第２の区画３９、及び第３の区画３８が後部壁パネル３１の上に重なりかつそこにわたって延びるように右側壁パネル３４の外面に固定される。
必要に応じて、内側に折り畳まれた後部壁フラップ１５、３５は、第１のパック２及び第２のパック５の外側シェル３、６の組立中にブランク材１０、３０の後部壁パネル１１、３１の内面に固定することができる。
【００３８】
組み立てられた第１のパック２の外側シェル３と組み立てられた第２のパック５の外側シェル６とを接続するために、第１のパック２の一体型コネクタ１７の第１の区画１８、第２の区画１９、及び第３の区画１８の外面は、第２のパック５の一体型コネクタ３７の第１の区画３８、第２の区画３９、及び第３の区画３８の外面にそれぞれ固定される。好ましくは、第１のパック２及び第２のパック５の内側スライド４、７は、第１のパック２及び第２のパック５の外側シェル３、６が互いに接続される前に、喫煙物品の束が充填されて組み立てられた外側シェル３、６の内側に配置される。第１のパック２及び第２のパック５の内側スライド４、７内の喫煙物品の束は、容器の安定性を有利に改善する。
【００３９】
最初の接続位置（図示せず）では、第１のパック２の外側シェルの後部壁１１は、第２のパック５の外側シェル６の後部壁３１に対して平行かつ対向する。第１のパック２及び第２のパック５の接続された外側シェル３、６は、最初の接続位置から図１ａ及び１ｂに示す位置の間で外側シェル３、６の後部壁１１、３１の縦方向縁部の周りに互いに対してヒンジ止め可能である。図１に示すように、第１のパック２及び第２のパック５の外側シェル３、６を互いに対してヒンジ止めすることは、一体型コネクタ１７、３７の固定された第２の区画１９、３９を、一体型コネクタ１７、３７の固定された第１の区画１８、３８及び固定された第３の区画１８、３８から穿孔の線に沿って分離することになる。
【００４０】
図３は、図１ａ及び１ｂに示す本発明の第１の実施形態による容器の第１のスライド及びシェルパック２と第２のスライド及びシェルパック５の内側スライド４、７を形成するためのブランク材４２を示している。図３に示すように、フラップ４４が、内側スライド４、７の主要壁の下部部分から切り離される。フラップ４２は、水平折り重ね線に沿って内側スライド４、７の主要壁に接続される。内側スライドの組立中に、フラップ４２は、水平折り重ね線に関して１８０度まで外側に折り畳まれる。使用中に、内側スライド４、７が外側シェル３、６内で上向きに摺る時に、内側スライド４、７の主要壁から延びる上向きに折り畳まれたフラップ４２の先行面は、各外側シェル３、６の後部壁１１、３１の上縁から内向きに延びる後部壁フラップ１６、３６の対応する対面表面と係合する。内側スライド４、７のフラップ４２による外側シェル３、６の後部壁フラップ１６、３６の係合により、内側スライド４、７の外側シェル３、６内での更なる上方への移動が有利に制限されるので、内側スライド４、７が外側シェル３、６の上縁から取り外されることが回避される。
【００４１】
図４ａ及び４ｂは、縄ばしご配列に接続された第１のヒンジ蓋パック及び第２のヒンジ蓋パックを含む本発明の第２の実施形態による容器（図示せず）を形成するための２つのブランク材の内面を示している。図４ａ及び４ｂに示す本発明の第２の実施形態による容器の第１のヒンジ蓋パック及び第２のヒンジ蓋パックを形成するためのブランク材５０、７０のパネルの参照番号の最後の桁は、図２ａ及び２ｂに示す本発明の第１の実施形態による容器の第１のスライド及びシェルパック２の外側シェル３と、第２のスライド及びシェルパック５の外側シェル６とを形成するためのブランク材１０、３０の対応するパネルの参照番号の最後の桁とそれぞれ同じである。
【００４２】
本発明の第２の実施形態による容器の第１のヒンジ蓋パック及び第２のヒンジ蓋パックは、図１ａ及び１ｂに示す本発明の第１の実施形態による容器の第１のスライド及びシェルパック２の外側シェル３及び第２のスライド及びシェルパック５の外側シェル６と類似の方法で接続される。しかし、図２ａ及び２ｂに示すブランク材１０、３０の場合と異なり、図４ａ及び４ｂに示すブランク材５０、７０の一体型コネクタパネル５７、７７の第２の区画５９、７９は、穿孔の水平線に沿って一体型コネクタパネル５７、７７の第１の区画５８、７８及び第３の区画５８、７８に取外し可能に接続されていない。代替的に、ブランク材５０、７０の一体型コネクタパネル５７、７７の第２の区画５９、７９は、切り離し線によって一体型コネクタパネル５７、７７の第１の区画５８、７８及び第３の区画８、７８から分離されている。
【００４３】
図４ａに示すように、本発明の第２の実施形態による容器の第１のヒンジ蓋パックを形成するためのブランク材５０の一体型コネクタパネル５７の第１及び第３の区画５８は、穿孔の垂直線に沿って左側壁フラップ６０に取外し可能に接続され、かつ垂直折り重ね線に沿って右側壁パネル５４に接続され、ブランク材５０の一体型コネクタパネル５７の第２の区画５９は、垂直折り重ね線に沿って左側壁フラップ６０に接続され、かつ穿孔の垂直線に沿って右側壁パネル５４に取外し可能に接続される。図４ａに示すブランク材による第１のヒンジ蓋パックの組立中に、左側壁フラップ６０の内面は、組み立てられたヒンジ蓋パックにおいて一体型コネクタパネル５７の第１の区画５８、第２の区画５９、及び第３の区画５８がヒンジ蓋パックの箱部分の後部壁５１の上に重なりかつそこにわたって延びるように左側壁パネル５２の外面に固定される。
【００４４】
図４ｂに示すように、本発明の第２の実施形態による容器の第２のヒンジ蓋パックを形成するためのブランク材７０の一体型コネクタパネル７７の第２の区画７９は、垂直折り重ね線に沿って左側壁パネル７２に接続され、かつ穿孔の垂直線に沿って右側壁フラップ７６に取外し可能に接続され、ブランク材７０の一体型コネクタパネル７７の第１及び第３の区画７８は、垂直折り重ね線に沿って右側壁フラップ７６に接続され、かつ穿孔の垂直線に沿って左側壁パネル７２に取外し可能に接続される。図４ｂに示すブランク材７０による第２のヒンジ蓋パックの組立中に、右側壁フラップ７６の内面は、組み立てられたヒンジ蓋パックにおいて一体型コネクタパネル７７の第１の区画７８、第２の区画７９、及び第３の区画７８がヒンジ蓋パックの箱部分の後部壁７１の上に重なりかつそこにわたって延びるように右側壁パネル７４の外面に固定される。
【００４５】
第１のヒンジ蓋パックと第２のヒンジ蓋パックとを接続するために、第１のヒンジ蓋パックの一体型コネクタパネル５７の第１の区画５８、第２の区画５９、及び第３の区画５８の外面は、先に上述したように、第２のヒンジ蓋パックの一体型コネクタパネル７７の第１の区画７８、第２の区画７９、及び第３の区画７８の外面にそれぞれ固定される。
最初の接続された位置（図示せず）では、第１のヒンジ蓋パックの後部壁は、第２のヒンジ蓋パックの後部壁に平行かつ対向する。接続されたヒンジ蓋パックは、ヒンジ蓋パックの後部壁が実質的に同一平面にあるそれらの最初の接続された位置と第２及び第３の位置との間で、それらの後部壁の縦方向縁部の周りに互いにヒンジ止め可能である。接続されたヒンジ蓋パックを最初の位置から第２の位置又は第３の位置まで互いに対してヒンジ止めすることは、第１のヒンジ蓋パックの一体型コネクタ５７の第１及び第３の区画５８をその左側壁フラップ６０から分離し、第１のヒンジ蓋パックの一体型コネクタパネル５７の第２の区画５９を穿孔の線に沿って右側壁パネル５４から分離することになる。接続されたヒンジ蓋パックを最初の位置から第２の位置又は第３の位置まで互いに対してヒンジ止めすることはまた、第２のヒンジ蓋パックの一体型コネクタ７７の第２の区画７９をその右側壁フラップ７６から分離し、第２のヒンジ蓋パックの一体型コネクタ７７の第１及び第３の区画７８を穿孔の線に沿ってその左側壁パネル７２から分離することになる。
【符号の説明】
【００４６】
２、５  喫煙物品の個別の束を収容するためのパック
１１、３１  第１の壁
１９  第２の区画
３８  第１の区画
【図１ａ】
2010534169.tif 000003
【図１ｂ】
2010534169.tif 000004
【図２ａ】
2010534169.tif 000005
【図２ｂ】
2010534169.tif 000006
【図３】
2010534169.tif 000007
【図４ａ】
2010534169.tif 000008
【図４ｂ】
2010534169.tif 000009
【国際調査報告】
2010534169.tif 000010
2010534169.tif 000011